(57)【要約】【課題】直接的に視認される場合とファインダを介して間接的に視認される場合とのいずれにおいても見やすい像表示装置を備えた像表示機器を提供する。【解決手段】外部像表示装置３０と内部像表示装置５０とを備える像表示機器１であって、外部像表示装置３０を、その表示面３２が像表示機器本体２に対して反対側を向いた第１表示位置と、その表示面３２が像表示機器本体２と対向する側に向いた第２表示位置とに切替える切替え手段３４と、像表示機器本体２内に設けられて、第２表示位置にある外部像表示装置３０の表示面３２の像を内部像表示装置５０に導く内部像表示光学系４０と、を備える。【選択図】  図５
2004241894.tif 000002
【特許請求の範囲】
【請求項１】
外部像表示装置と内部像表示装置とを備える像表示機器であって、
外部像表示装置を、その表示面が像表示機器本体に対して反対側を向いた第１表示位置と、その表示面が像表示機器本体と対向する側に向いた第２表示位置とに切替える切替え手段と、
像表示機器本体内に設けられて、第２表示位置にある外部像表示装置の表示面の像を内部像表示装置に導く内部像表示光学系と、を備えることを特徴とする像表示機器。
【請求項２】
像表示機器本体は、第２表示位置にある外部像表示装置の表示面と対向する位置に、内部像表示光学系の構成要素である透光窓を有し、
該透光窓に機器情報が表示されることを特徴とする、請求項１記載の像表示機器。
【請求項３】
透光窓が非発光型で透光性の表示装置であることを特徴とする、請求項２記載の像表示機器。
【請求項４】
透光窓が発光型で透光性の表示装置であり、外部像表示装置の表示面が第２表示位置にあるときに、機器情報が透光窓に表示されることを特徴とする、請求項２記載の像表示機器。
【請求項５】
像表示機器が光電変換素子を有するカメラであって、
被写体までの距離を測定する測距装置をさらに有し、該測距装置に関する情報が透光窓に表示されることを特徴とする、請求項２記載の像表示機器。
【発明の詳細な説明】
【０００１】
【発明の属する技術分野】
本発明は、一般に、像表示機器に関する。本発明は、詳細には、自由な位置で表示像を見ることのできる像表示機器に関する。本発明は、特に、自由な位置で表示像を見ることのできる像表示装置を備えたカメラに関する。
【０００２】
【従来の技術】
ＣＣＤ等の撮像素子を用いたカメラ、例えばデジタルカメラやビデオカメラ等の像表示機器では、撮像素子で取り込まれた被写体の像が各種記録媒体に記録されるが、被写体像がどのように記録されているか又は写っているかを撮影者が視認するための像表示装置が設けられている。
【０００３】
像表示装置としては、表示面がボディ内部にある内部像表示装置（例えば、光学式又は電子式のファインダ）、そして／又は表示面がボディ外部にある外部像表示装置（例えば、液晶表示装置）が用いられている。
【０００４】
ボディの外側に設けられて直接視認される外部像表示装置の像は明るい場所で見にくい。したがって、接眼光学系を介して間接的に視認される内部像表示装置を設けることは有効である。しかしながら、内部像表示装置でも光学式ファインダのものは、ズーム倍率（例えば４倍以上）が高くなると、撮影視差が大きくなるという問題を有している。撮影視差のないファインダとして、電子式ファインダがある。しかしながら、電子式ファインダでは、ボディ外側の外部像表示装置に加えてファインダ用の表示装置を別途設けることになるので、大略２倍のコストがかかってしまう。
【０００５】
そこで、ボディの外側に設けられて直接視認される液晶表示装置の像の一部をボディの窓及び接眼レンズ等の接眼光学系を介して観察するファインダ表示装置が開示されている（例えば、特許文献１参照。）。
【０００６】
【特許文献１】
特開平１１−２６５０２３号公報
【０００７】
特許文献１に開示されたファインダ表示装置では、接眼光学系を介して観察される像が、信号処理で縮小され且つ小さな画素領域で表示されているので、ファインダ表示装置で視認される像は、像の画素粒子が粗く、表示されている像や文字がつぶれて見にくいという問題がある。
【０００８】
また、像表示装置に表示された像を接眼レンズを通して見るか、あるいは通さないで見るかを選択することのできるＥＶＦ（電子ビューファインダ）装置が開示されている（例えば、特許文献２参照。）。
【０００９】
【特許文献２】
特開平８−１３０６６５号公報
【００１０】
特許文献２に開示されたＥＶＦ表示装置では、一つの像表示装置がファインダ光学系の中を出し入れされるように構成されており、小さくて画素数の少ない像表示装置が用いられている。したがって、接眼レンズを通さないで外で見たときに、ＥＶＦ表示装置に表示される像が見にくいという問題がある。また、接眼光学系が開放されているので、ゴミやホコリで接眼光学系が汚染されるという問題もある。
【００１１】
【発明が解決しようとする課題】
したがって、本発明の解決すべき技術的課題は、直接的に視認される場合とファインダを介して間接的に視認される場合とのいずれにおいても見やすい像表示装置を備えた像表示機器を提供することである。
【００１２】
【課題を解決するための手段および作用・効果】
上記技術的課題を解決するために、本発明によれば、以下の像表示機器が提供される。
【００１３】
すなわち、外部像表示装置と内部像表示装置とを備える像表示機器であって、外部像表示装置を、その表示面が像表示機器本体に対して反対側を向いた第１表示位置と、その表示面が像表示機器本体と対向する側に向いた第２表示位置とに切替える切替え手段と、像表示機器本体内に設けられて、第２表示位置にある外部像表示装置の表示面の像を内部像表示装置に導く内部像表示光学系と、を備える。
【００１４】
上記構成によれば、像表示機器は、外部像表示装置の位置を第１表示位置と第２表示位置とに切替えることによって、外部像表示装置に表示された像が、外部像表示装置上で直接的に視認されるかまたは、内部像表示光学系を介して内部像表示装置に導かれて内部像表示装置で間接的に視認される。外部像表示装置の大画面で画素数の多い表示面が内部像表示装置の表示面として利用されているので、内部像表示装置の表示面が見やすくなっている。また、外部像表示装置が直接視認用及び間接視認用に兼用されるので、高価な像表示装置に関する費用が低減される。
【００１５】
像表示機器本体は、第２表示位置にある外部像表示装置の表示面と対向する位置に、内部像表示光学系の構成要素である透光窓を有し、該透光窓に機器情報が表示される。
【００１６】
像表示機器本体の表面に設けられた、内部像表示光学系の構成要素である透光窓は、内部像表示光学系を保護する保護板とすることもできるが、機器情報が表示される情報表示装置とすることができる。機器情報としては、例えば、像の表示設定、機器の動作設定等がある。外部像表示装置の表示面上に機器情報を重ねて表示する場合より、視認性及び操作性が向上する。
【００１７】
透光窓としては、非発光型で透光性の表示装置、例えば、透過型ＴＮ液晶、透過型ＳＴＮ液晶、ゲストホスト液晶が使用される。
【００１８】
透光窓が発光型で透光性の表示装置であり、外部像表示装置の表示面が第２表示位置にあるときに、機器情報が透光窓に表示される。
【００１９】
上記構成によれば、透光窓としては、発光型で透光性の表示装置、例えば、透過型有機エレクトロルミネセンス（ＥＬ）が使用されるとともに、外部像表示装置の表示面が第２表示位置にあるときに、機器情報が発光する透光窓に表示される。したがって、内部像表示装置を見たときに、外部像表示装置の表示面に表示された像に、透光窓に表示された機器情報が重なった像を見ることができ、その重なった像も鮮明である。
【００２０】
像表示機器が光電変換素子を有するカメラであって、被写体までの距離を測定する測距装置をさらに有し、該測距装置に関する情報が透光窓に表示される。
【００２１】
上記構成のカメラによれば、光電変換素子を用いて、被写体までの距離を測定するビデオ測距方法で行うことができるが、アクティブ測距装置やパッシブ測距装置等の別体の測距装置を設けることができる。光電変換素子によるビデオ測距方法が難しいとき、例えば、被写体のコントラストが小さいかあるいは被写体が暗くて十分なコントラストが得られないとき、又は動画モードの撮影で演算処理装置に負荷がかかるとき等には、別体の測距装置によって測距することが有効である。ビデオ測距方法と、アクティブ測距又はパッシブ測距とを併用することもできる。これらの測距装置で得られた情報又は測距装置の設定情報は、透光窓に表示される。
【００２２】
【発明の実施の形態】
以下に、本発明の各実施形態に係る像表示機器としてのデジタルカメラ１について、図面を参照しながら具体的に説明する。なお、本明細書中、像とは動画像及び静止画像のいずれであってもよい。像表示機器には、デジタルカメラ１の他、ビデオカメラや、記録装置に記録された像を再生する再生専用機器等が含まれる。
【００２３】
図１〜４及び図１０は、本発明に係る第１実施形態を示している。図１は、デジタルカメラ１の断面構造を示す図である。図２は、図１に示したカメラ１の液晶表示装置３０を閉じてファインダ５０を介して被写体像が間接的に視認されることを説明する図である。図３は、図１に示したカメラ１の液晶表示装置３０を開いて被写体像が直接的に視認されることを説明する図である。図４は、図１に示したカメラ１の液晶表示装置３０を閉じた状態で被写体像が直接的に視認されることを説明する図である。図１０は、デジタルカメラ１のブロック図である。
【００２４】
図１に示したデジタルカメラ１のボディ２には、被写体像をＣＣＤ（電荷結合素子）２２に結像させる光学系を有する鏡胴ユニット３が収納されている。光電変換素子すなわちイメージセンサとしてのＣＣＤ（電荷結合素子）２２は、ＣＣＤ基板ユニット２０上に取付けられており、ＣＭＯＳ（相補型金属酸化膜半導体）であってもよい。
【００２５】
図２及び３に示すように、液晶表示装置３０は、回動軸及び回転軸という所謂２軸ヒンジ機構を有するヒンジ部３４を介してボディ２に取着されている。したがって、液晶表示装置３０は、ボディ２に対して横方向（略水平方向）にすなわち図の左右方向に回動自在に支持されているとともに、回転自在に支持されている。
【００２６】
図２に示すように、液晶表示装置３０が図の右側にあるとき、表示面３２がボディ２と対向する側に向いた第２表示位置にある。すなわち、液晶表示装置３０が閉じられた状態にある。また、図３に示すように、液晶表示装置３０が第２表示位置から大略１８０度回転して図の左側にあるとき、表示面３２がボディ２に対して反対側すなわち操作者側を向いた第１表示位置にある。すなわち、液晶表示装置３０が開かれた状態にある。さらにまた、図４に示すように、液晶表示装置３０が図の右側にあるものの、表示面３２がボディ２に対して反対側すなわち操作者側を向いた第１表示位置にある。すなわち、液晶表示装置３０が閉じられた状態にあるにもかかわらず、表示面３２操作者側を向いている。このように、液晶表示装置３０は、切替え手段としてのヒンジ部３４によって、様々な位置をとることができる。操作者は、通常、カメラ１の背面側にいるので、第１表示位置は、カメラ１の操作者側を向いた位置であり、第２表示位置は、カメラ１の操作者と反対側を向いた位置であると言うことができる。
【００２７】
液晶表示装置３０は、液晶パネルと反射板とバックライトを有する。液晶パネルの表示面３２には、鏡胴ユニット３及びＣＣＤ２２によって取り込まれた被写体像、あるいは不図示の各種記録装置によって記録・保存された像が表示される。
【００２８】
第２表示位置にある液晶パネルの表示面３２に相対向するボディ２の位置に、透光窓４１が設けられている。透光窓４１は、接眼光学系４０の一構成要素であって、隣接配置される液晶パネルの表示面３２の像を後述する接眼光学系４０内に導き入れるものである。透光窓４１は、接眼光学系４０を保護するための透明保護板（例えば、ガラス板やプラスチック板）であるが、カメラ１の各種情報が透光性基板上に表示される情報表示装置とすることもできる。
【００２９】
内部像表示光学系である接眼光学系４０は、透光窓４１と、第１反射面４２と、第２反射面４３と、接眼レンズ４４と、から構成され、ボディ２内に収納されている。第１反射面４２は、液晶パネルの表示面３２に相対向して４５度の角度で傾斜配置されており、第２反射面４３は、第１反射面４２及び接眼レンズ４４に相対向して４５度の角度で傾斜配置されている。すなわち、接眼光学系４０の光路Ｉは、ボディ２内に形成されており、液晶パネルの表示面３２の像は、接眼光学系４０を経て、ファインダ５０を覗いている操作者の目に結像される。
【００３０】
内部像表示装置であるファインダ５０は、上記接眼光学系４０と、操作者の目が当接する接眼部４５とから構成される。ボディ２の背面には、操作スイッチ５が設けられており、カメラそれ自体及び液晶表示装置３０の操作や条件設定のために使用される。
【００３１】
デジタルカメラ１は、図１０のブロック図に示すように、電気回路で構成されている。すなわち、メイン基板１０は、カメラ１全体の動きを制御するＣＰＵと、各種条件設定を保存するメモリと、カメラ１の動きを制御するカメラ制御回路と、液晶表示装置３０の表示を制御する表示ＩＣと、外部端子とを備えている。
メイン回路１０には、電源回路やフラッシュ回路、電池、ＣＣＤ２２、液晶表示装置３０、及び鏡胴ユニット３等が電気的に接続されている。
【００３２】
上記構成のデジタルカメラ１は、以下のようにして使用される。
【００３３】
図１及び２に示すように、液晶表示装置３０が第２表示位置すなわち閉じられた状態にあるとき、表示面３２が透光窓４１に相対向している。表示面３２には倒立像が表示され、倒立像が透光窓４１を透過し、第１反射面４２及び第２反射面４３に反射したあと、接眼レンズ４４で集光されて、ファインダ５０の接眼部４５に接眼した操作者の目に正立像が結像する。大きい表示面３２に鮮明に表示された像が光学的に縮小されているので、ファインダ５０内に表示されて間接的に視認される像が鮮明である。
【００３４】
図３に示すように、液晶表示装置３０が第１表示位置すなわち開いた状態にあるとき、表示面３２が透光窓４１に対して反対側を向いている。公知の位置検出センサによって、液晶表示装置３０の位置が検出されたあと、表示ＩＣによって、第２表示位置で表示された像の上下を逆転させる。表示面３２には正立像が表示される。大きい表示面３２に表示された像が直接的に視認されるので、表示された像が鮮明である。
【００３５】
図４に示すように、液晶表示装置３０が第２表示位置すなわち閉じられた状態にあるとき、表示面３２が透光窓４１に対して反対側を向いている。公知の位置検出センサによって、液晶表示装置３０の位置が検出されたあと、表示ＩＣによって、第２表示位置で表示された像の上下を逆転させる。表示面３２には正立像が表示される。大きい表示面３２に表示された像が直接的に視認されるので、表示された像が鮮明である。
【００３６】
次に、第２実施形態に係るデジタルカメラ１について、図５を参照しながら説明する。基本的な構成は上記第１実施形態のものと大略同じであるので、相違している部分を中心に説明する。
【００３７】
第１実施形態では、透光窓４１が、接眼光学系４０を保護するための透明保護板（例えば、ガラス板やプラスチック板）であったが、第２実施形態では、透光窓４１が、接眼光学系４０を保護するとともに、カメラ１の各種情報を透光性基板上に表示する情報表示装置として用いられている。そして、透光窓４１が情報表示装置として用いられるのは、液晶表示装置３０が第１表示位置すなわち開いた状態にあるときである。
【００３８】
透光窓４１は、非発光型で透光性の表示装置、例えば、透過型ＴＮ液晶ディスプレイ、透過型ＳＴＮ液晶ディスプレイ、ゲストホスト液晶ディスプレイ等であり、表示状態が表示ＩＣによって制御される。透光窓４１に表示される情報としては、例えば、像の表示設定、カメラの動作設定等がある。さらに具体的な一例を説明すれば、図５に示した撮影モードがある。
【００３９】
透光窓４１には、高速ＡＦモード、お好みＡＦモード及びエリア指定モードが表示されている。高速ＡＦモードの例としては、高速に測距してレリーズタイムラグを少なくして連続撮影枚数を増やすものである。お好みＡＦモードの例としては、暗い場所での赤外線補助光によるオートフォーカス（ＡＦ）等、撮影シーンに応じてＡＦモードを切替えるものである。エリア指定モードの例としては、操作者がライブビュー中にオートフォーカス（ＡＦ）する対象の場所又は被写体１００を操作スイッチ５の十字キーで指定することにより、表示面３２上に表示されている間、オートフォーカス（ＡＦ）する対象の場所又は被写体１００を追従するものである。
【００４０】
また、表示面３２上に表示されている像にペイントを施したり、文字を書き込んだり、背景色を変更したりすること等の表示されている像の編集作業を透光窓４１上で行うことができる。表示面３２の横側に透光窓４１が配置されているので、表示面３２を見ながら上記編集作業を行うことができるので、表示面３２上に上記情報を重ねて表示する場合より、見やすく、且つ、操作もしやすい。
【００４１】
次に、第３実施形態に係るデジタルカメラ１について、図１、６及び７を参照しながら説明する。基本的な構成は上記第１実施形態のものと大略同じであるので、相違している部分を中心に説明する。
【００４２】
第３実施形態でも、第２実施形態と同様に、透光窓４１が、接眼光学系４０を保護するとともに、カメラ１の各種情報を透光性基板上に表示する情報表示装置として用いられている。そして、透光窓４１が情報表示装置として用いられるのは、液晶表示装置３０が第２表示位置すなわち閉じられた状態にあるときである。
【００４３】
図１に示すように、ボディ２の前面側にはセンサ窓５６が設けられており、ボディ２の内部には測距装置５４が設けられている。センサ窓５６を介して、測距装置５４からの光又は音波等の送信あるいは測距装置５４への光又は音波等の受信が行われる。例えば、測距装置５４が公知の外光式のパッシブ型測距装置５４である場合、測距装置５４は、１対のレンズと受光素子アレイからなり、左右の受光素子出力に基づいて、相関演算により、被写体１００までの距離を検出する。受光素子アレイには、例えば、５つの測距ポイントが、十字状に配置されている。
【００４４】
透光窓４１は、発光型で透光性の表示装置、例えば、透過型有機エレクトロルミネセンス（ＥＬ）ディスプレイ等であり、表示状態が表示ＩＣによって制御される。透光窓４１に表示される情報としては、例えば、測距フレーム４７である。測距フレーム４７は、発光するセグメントである。各測距フレーム４７は、図６に示すように、透光窓４１の上において、５つの測距ポイントに対応する各位置に十字状に配置されている。
【００４５】
液晶表示装置３０が第２表示位置すなわち閉じられた状態にあるとき、表示面３２が透光窓４１に相対向して重ね合わされる。表示面３２には倒立像が表示されている。透光窓４１には、十字状に配置された５つの発光する測距フレーム４７が形成されている。測距フレーム４７に表示された像が重なった倒立被写体像は、透光窓４１を透過し、第１反射面４２及び第２反射面４３に反射したあと、接眼レンズ４４で集光されて、ファインダ５０に接眼した操作者の目に正立像が結像する。外光式のパッシブ型測距装置５４によって被写体１００に対する距離が測定される。被写体１００の測距値が最も近い距離を示した測距ポイント（図７では右端の測距ポイント）が点灯して、その測距ポイントで測距が行われていることが強調表示される。
【００４６】
次に、第４実施形態に係るデジタルカメラ１について、図８及び９を参照しながら説明する。基本的な構成は上記第１実施形態のものと大略同じであるので、相違している部分を中心に説明する。
【００４７】
図８及び９に示すように、液晶表示装置３０がボディ２の上部に設けられている。ボディ２の前方側には、液晶表示装置３０を回動自在及び回転自在に支持するヒンジ部３４が設けられている。液晶表示装置３０は、第２表示位置すなわち略水平方向に延在して閉じられた状態と、第１表示位置すなわち略垂直方向に延在して開いた状態との間を回動する。
【００４８】
内部像表示光学系である接眼光学系４０は、略水平方向に延在する透光窓４１と、ペンタプリズム４８の第１反射面４２と、ペンタプリズム４８の第２反射面４３と、接眼レンズ４４と、から構成され、ボディ２の上部に収納されている。
ペンタプリズム４８の第１反射面４２は、液晶パネルの表示面３２に相対向して所定の角度で傾斜配置されており、ペンタプリズム４８の第２反射面４３は、第１反射面４２及び接眼レンズ４４に相対向して所定の角度で傾斜配置されている。すなわち、接眼光学系４０の光路Ｉは、ボディ２内に形成されており、液晶表示装置３０の表示面３２の像は、接眼光学系４０を経て、ファインダ５０を覗いている操作者の目に結像される。
【００４９】
内部像表示装置であるファインダ５０は、上記接眼光学系４０と、操作者の目が当接する接眼部４５とから構成される。
【００５０】
図８に示すように、液晶表示装置３０が第１表示位置すなわち開いた状態にあるとき、表示面３２が透光窓４１に対して大略直交する位置にあり、操作者側を向いている。表示面３２には正立像が表示される。大きい表示面３２に表示された像が直接的に視認されるので、表示された像が鮮明である。
【００５１】
図９に示すように、液晶表示装置３０が第２表示位置すなわち閉じられた状態にあるとき、表示面３２が透光窓４１に相対向している。表示面３２には正立像を表示すればよいので、表示ＩＣによって、像の上下を逆転させることが不要である。表示面３２に表示された正立像が透光窓４１を透過し、第１反射面４２及び第２反射面４３に反射したあと、接眼レンズ４４で集光されて、ファインダ５０に接眼した操作者の目に正立したファインダ表示像５２が結像する。大きい表示面３２に表示された像が光学的に縮小されているので、ファインダ５０内に表示されて間接的に視認されるファインダ表示像５２が鮮明である。ペンタプリズム４８を介在させることによって、接眼光学系４０をコンパクトに構成することができる。また、接眼光学系４０が透光窓４１で外界と隔てられており、液晶表示装置３０がヒンジ部３４で回動自在及び回転自在に支持されていることによって、液晶表示装置３０の切替え表示が簡単であり信頼性も高い。
【００５２】
なお、第１実施形態において、液晶表示装置３０が、ヒンジ部３４によって、ボディ２に対して横方向（略水平方向）に回動自在に支持されているために、回動する液晶表示装置３０が接眼部４５を横切らないでよいので、ファインダ５０内での像観察の邪魔にならないという利点を有する。また、第４実施形態に係るデジタルカメラ１の透光窓４１も、接眼光学系４０を保護するための単なる保護板としたり、カメラ情報が表示される情報表示装置とすることもできる。
【図面の簡単な説明】
【図１】本発明の一実施形態に係るデジタルカメラの基本的構造の断面を示す図である。
【図２】図１に示したカメラの液晶表示装置を閉じて、被写体像がファインダを介して間接的に視認されることを説明する図である。
【図３】図１に示したカメラの液晶表示装置を開いて被写体像が直視されることを説明する図である。
【図４】図１に示したカメラの液晶表示装置を閉じた状態で被写体像が直視されることを説明する図である。
【図５】本発明の他の実施形態に係るデジタルカメラを説明する図である。
【図６】本発明の他の実施形態に係るデジタルカメラの液晶表示装置を開いて被写体画像が直視されることを説明する図である。
【図７】図６に示したカメラの液晶表示装置を閉じて、被写体像がファインダを介して間接的に視認されることを説明する図である。
【図８】本発明の他の実施形態に係るデジタルカメラの液晶表示装置を開いて被写体像が直視されることを説明する図である。
【図９】図８に示したカメラの液晶表示装置を閉じて、被写体像がファインダを介して間接的に視認されることを説明する図である。
【図１０】本発明に係るデジタルカメラのブロック図である。
【符号の説明】
１  デジタルカメラ（像表示機器）
２  ボディ
３  鏡胴ユニット
５  背面操作スイッチ
１０  メイン基板ユニット
２０  ＣＣＤ基板ユニット
２２  ＣＣＤ（光電変換素子）
３０  液晶表示装置（外部像表示装置）
３２  表示面
３４  ヒンジ部（切替え手段）
４０  接眼光学系（内部像表示光学系）
４１  透光窓
４２  第１反射面
４３  第２反射面
４４  接眼レンズ
４５  接眼部
４７  測距フレーム
４８  ペンタプリズム
５０  ファインダ（内部像表示装置）
５２  ファインダ表示像
５４  測距装置
５６  センサ窓
１００  被写体
Ｉ  光路
【図１】
2004241894.tif 000003
【図２】
2004241894.tif 000004
【図３】
2004241894.tif 000005
【図４】
2004241894.tif 000006
【図５】
2004241894.tif 000007
【図６】
2004241894.tif 000008
【図７】
2004241894.tif 000009
【図８】
2004241894.tif 000010
【図９】
2004241894.tif 000011
【図１０】
2004241894.tif 000012